(57)【要約】【課題】  モノクロ写真の色調を適切に調整することは極めて難しく、デジタルのモノクロ画像の色調を、銀塩フィルムを使用したモノクロ写真らしい色調に調整するには熟練を要する。【解決手段】  階調テーブルに記憶された測色色信号を参照して、入力した画像のモノクロ信号（ＧＬ）に対応する測色色信号（ＬＡＢ）を求め（Ｓ７０２）、デバイス特性テーブルを参照して当該測色色信号に対応する画像出力装置に出力する色信号（ＣＭＹＫ）を取得する（Ｓ７０３）．【選択図】  図７
2007166543.tif 000002
【特許請求の範囲】
【請求項１】
画像の色信号をモノクロ画像の信号へ変換して画像出力装置に出力する画像処理装置であって、
前記モノクロ画像の色調を指示する色調指示手段と、
前記色調指示手段により指示される色調に対応して色度を記憶する色調記憶手段と、
前記画像出力装置に依存する色信号及び当該色信号に対応する色材の色信号及び測色色信号を記憶するデバイス特性記憶手段と、
前記色調記憶手段及び前記デバイス特性記憶手段に記憶された色度及び測色色信号に基づく、モノクロ画像信号の濃度に対応する測色色信号を記憶する階調記憶手段と、
前記階調記憶手段を参照して、入力した画像のモノクロ信号に対応する測色色信号を求め、前記デバイス特性記憶手段を参照して当該測色色信号に対応する前記画像出力装置に出力する色信号を取得する手段と、
を有することを特徴とする画像処理装置。
【請求項２】
前記色調記憶手段は、指示される離散的な色調に対応して、前記画像出力装置における出力画像の中間明度における色度を記憶することを特徴とする請求項１に記載の画像処理装置。
【請求項３】
前記デバイス特性記憶手段は、前記画像出力装置に依存した色信号と、当該前記画像出力装置の色材の色信号と前記測色色信号とを対応付けて記憶していることを特徴とする請求項１又は２に記載の画像処理装置。
【請求項４】
前記階調記憶手段は、モノクロ画像信号の濃度に対応して、測色色空間Ｌ*ａ*ｂ*のＬａｂそれぞれの値を記憶していることを特徴とする請求項１乃至３のいずれか１項に記載の画像処理装置。
【請求項５】
前記色調指示手段は、モノクロ画像の色調を、前記画像出力装置で出力されるモノクロ画像の色度の範囲内で設定するためのＵＩ画面を表示するＵＩ表示手段を有することを特徴とする請求項１乃至４のいずれか１項に記載の画像処理装置。
【請求項６】
前記ＵＩ画面は更に、前記モノクロ画像の色調を選択するための選択肢を表示することを特徴とする請求項５に記載の画像処理装置。
【請求項７】
前記ＵＩ画面は更に、前記モノクロ画像の内容に応じて色調を選択するための選択肢を表示することを特徴とする請求項５に記載の画像処理装置。
【請求項８】
前記前記画像出力装置で出力されるモノクロ画像の色度の範囲は、黄色／青色方向の調整範囲が広く、赤色／緑色方向の調整範囲が狭いことを特徴とする請求項５に記載の画像処理装置。
【請求項９】
前記前記画像出力装置で出力されるモノクロ画像の色度の範囲は、温黒調印画紙の色調から冷黒調印画紙の色調までの範囲であることを特徴とする請求項５に記載の画像処理装置。
【請求項１０】
画像の色信号をモノクロ画像の信号へ変換して画像出力装置に出力する画像処理方法であって、
前記モノクロ画像の色調を指示する色調指示工程と、
前記色調指示工程で指示される色調に対応して色度を記憶する色調テーブル、及び前記画像出力装置に依存する色信号及び当該色信号に対応する色材の色信号及び測色色信号を記憶するデバイス特性テーブルに記憶された色度及び測色色信号に基づく、モノクロ画像信号の濃度に対応する測色色信号を階調テーブルとして記憶する階調記憶工程と、
前記階調テーブルに記憶された測色色信号を参照して、入力した画像のモノクロ信号に対応する測色色信号を求め、前記デバイス特性テーブルを参照して当該測色色信号に対応する前記画像出力装置に出力する色信号を取得する工程と、
を有することを特徴とする画像処理方法。
【請求項１１】
前記色調テーブルは、指示される離散的な色調に対応して、前記画像出力装置における出力画像の中間明度における色度を記憶することを特徴とする請求項１０に記載の画像処理方法。
【請求項１２】
前記デバイス特性テーブルは、前記画像出力装置に依存した色信号と、当該前記画像出力装置の色材の色信号と前記測色色信号とを対応付けて記憶していることを特徴とする請求項１０又は１１に記載の画像処理方法。
【請求項１３】
前記階調テーブルは、モノクロ画像信号の濃度に対応して、測色色空間Ｌ*ａ*ｂ*のＬａｂそれぞれの値を記憶していることを特徴とする請求項１０乃至１２のいずれか１項に記載の画像処理方法。
【請求項１４】
前記色調指示工程は、モノクロ画像の色調を、前記画像出力装置で出力されるモノクロ画像の色度の範囲内で設定するためのＵＩ画面を表示するＵＩ表示工程を有することを特徴とする請求項１０乃至１３のいずれか１項に記載の画像処理方法。
【請求項１５】
前記ＵＩ画面は更に、前記モノクロ画像の色調を選択するための選択肢を表示することを特徴とする請求項１４に記載の画像処理方法。
【請求項１６】
前記ＵＩ画面は更に、前記モノクロ画像の内容に応じて色調を選択するための選択肢を表示することを特徴とする請求項１４に記載の画像処理方法。
【請求項１７】
前記前記画像出力装置で出力されるモノクロ画像の色度の範囲は、黄色／青色方向の調整範囲が広く、赤色／緑色方向の調整範囲が狭いことを特徴とする請求項１４に記載の画像処理方法。
【請求項１８】
前記前記画像出力装置で出力されるモノクロ画像の色度の範囲は、温黒調印画紙の色調から冷黒調印画紙の色調までの範囲であることを特徴とする請求項１４に記載の画像処理方法。
【請求項１９】
コンピュータに上記請求項１０乃至請求項１８のいずれか１項に記載の画像処理方法を実行させるためのプログラム。
【請求項２０】
請求項１９に記載のプログラムが記録されたコンピュータ読み取り可能な記録媒体。
【発明の詳細な説明】
【技術分野】
【０００１】
本発明は、画像信号を処理して画像出力装置に出力する画像処理装置及びその方法に関する。
【背景技術】
【０００２】
デジタルカメラの普及によってデジタルカラー画像の利用が急激に増加し、これらの画像を良好に印刷するためのフォトプリント技術が注目されている。一方、従前の銀塩フィルムを使用した写真（アナログ）ではモノクロ写真が流行している。このようなモノクロ写真は、被写体の質感をカラー写真にはない微妙な味わいや表現力によって再現できるため、カラー写真とは別の表現手段として利用されている。これに対してデジタルカメラで撮影されたデジタルモノクロ写真画像は、現時点では、カラー画像のように多く利用されていない。しかしながら、今後、デジタルカメラで撮影されたモノクロ画像も、銀塩フィルムを使用したモノクロ写真利用と同様に、その利用拡大が見込まれる。
【０００３】
モノクロ写真画像の印刷は、黒色色材（インクやトナー）を用いて実現される。しかし、黒色色材のみで画像を印刷する場合、画像の色調は黒色色材の特性によって決まってしまうため、それを調整することはできない。よって、モノクロ画像の色調を調整するために、黒色（以下、Ｋとする）に加えて、シアン（以下、Ｃとする）、マゼンタ（以下、Ｍとする）、イエロ（以下、Ｙとする）やグレイ（以下、Ｇとする）等の色材を用いる方法がある。こうすることにより、モノクロ画像の色調をこれら各色材の配合量を変えることによって調整することができる（特許文献１参照）。
【特許文献１】特開２００５−２３８８３５号公報
【発明の開示】
【発明が解決しようとする課題】
【０００４】
しかしながら、実際に、モノクロ写真の色調を適切に調整することは極めて難しく、デジタルのモノクロ画像の色調を、銀塩フィルムを使用したモノクロ写真らしい色調に調整するには熟練を要する。
【０００５】
本発明の目的は、上記従来技術の問題点を解決することにある。
【０００６】
本発明の特徴は、モノクロ写真画像の色調（色味）を簡易に調整可能な画像処理装置及びその方法を提供することを目的とする。
【課題を解決するための手段】
【０００７】
上記目的を達成するために本発明の一態様に係る画像処理装置は以下のような構成を備える。即ち、
画像の色信号をモノクロ画像の信号へ変換して画像出力装置に出力する画像処理装置であって、
前記モノクロ画像の色調を指示する色調指示手段と、
前記色調指示手段により指示される色調に対応して色度を記憶する色調記憶手段と、
前記画像出力装置に依存する色信号及び当該色信号に対応する色材の色信号及び測色色信号を記憶するデバイス特性記憶手段と、
前記色調記憶手段及び前記デバイス特性記憶手段に記憶された色度及び測色色信号に基づく、モノクロ画像信号の濃度に対応する測色色信号を記憶する階調記憶手段と、
前記階調記憶手段を参照して、入力した画像のモノクロ信号に対応する測色色信号を求め、前記デバイス特性記憶手段を参照して当該測色色信号に対応する前記画像出力装置に出力する色信号を取得する手段とを有することを特徴とする。
【０００８】
上記目的を達成するために本発明の一態様に係る画像処理方法は以下のような工程を備える。即ち、
画像の色信号をモノクロ画像の信号へ変換して画像出力装置に出力する画像処理方法であって、
前記モノクロ画像の色調を指示する色調指示工程と、
前記色調指示工程で指示される色調に対応して色度を記憶する色調テーブル、及び前記画像出力装置に依存する色信号及び当該色信号に対応する色材の色信号及び測色色信号を記憶するデバイス特性テーブルに記憶された色度及び測色色信号に基づく、モノクロ画像信号の濃度に対応する測色色信号を階調テーブルとして記憶する階調記憶工程と、
前記階調テーブルに記憶された測色色信号を参照して、入力した画像のモノクロ信号に対応する測色色信号を求め、前記デバイス特性テーブルを参照して当該測色色信号に対応する前記画像出力装置に出力する色信号を取得する工程とを有することを特徴とする。
【発明の効果】
【０００９】
本発明によれば、モノクロ写真画像の色調を簡易に調整することができる。更に、モノクロ写真として不適切な色調に調整されることを防止することができる。
【発明を実施するための最良の形態】
【００１０】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１１】
＜画像処理装置のシグナルフロー＞
まず、本実施形態に係る画像処理装置における信号の流れを説明する。
【００１２】
図１は、本実施の形態に係る画像処理装置における信号の流れを説明する図である。
【００１３】
この画像処理装置は、チャンネルミキシング部１０１と色分解部１０２とにより、入力したカラー画像を構成する色信号ＲＧＢを、接続されている画像出力装置１１０の色信号ＣＭＹＫに変換する。更にこの画像処理装置は、色分解部１０２によって、モノクロ画像を構成するモノクロ信号ＧＬを画像出力装置１１０の色信号ＣＭＹＫに変換する。
【００１４】
カラー画像をモノクロで印刷する場合は、チャンネルミキシング部１０１において、色信号ＲＧＢをモノクロ信号ＧＬに変換する。チャンネルミキシング部１０１は、例えば、Ｒ信号とＧ信号とＢ信号とを所定の重みで加重平均してモノクロ信号ＧＬを算出する。又は、入力したＲＧＢ信号を測色色空間Ｌ*ａ*ｂ*の色信号に変換し、このＬ*信号を、例えば２５５階調に正規化してモノクロ信号ＧＬを算出しても良い。また、色信号の変換方法を複数用意しておき、利用する変換方法を外部からの指示に基づいて選択するように構成にしても良い。より好適には、銀塩写真でＹ２フィルタ、ＹＡ３フィルタ、Ｒ１フィルタを用いた場合と類似した効果が得られるように色信号を変換するのが好ましい。また色分解部１０２は、これら色調の調整指示に基づいて、モノクロ信号ＧＬを、画像出力装置１１０の色信号ＣＭＹＫに変換する。詳細は後述する。
【００１５】
図２（Ａ）は、本実施の形態に係る画像処理装置のハードウェア構成の概略を説明するブロック図である。
【００１６】
図において、ＣＰＵ２２０は、ＲＡＭ２２１及びＲＯＭ２２２に記憶されたプログラムに従ってこの画像処理装置全体の動作を制御している。ＲＡＭ２２１は、ＣＰＵ２２０のメインメモリとして使用され、ＣＰＵ２２０により実行されるプログラムがロードされる。またこのＲＡＭ２２１は、ＣＰＵ２２０による制御動作時に各種データを一時的に保存するワークエリアを提供している。ＲＯＭ２２２は、ブートプログラムや各種データを不揮発に記憶している。入力部２２３はキーボード、マウス等のポインティングデバイスを有し、ユーザの操作により各種データをコマンドを入力するのに使用される。表示部２２４は、ＣＲＴや液晶などの表示ユニットを有し、処理対象のデータや後述するＵＩ画面等の表示に使用される。外部記憶装置（ＨＤ）２２５は大容量の記憶装置で、ここにはＯＳ、各種アプリケーションプログラムやデータなどが予めインストールされており、そのプログラムの起動が指示されると、そのプログラムはＲＡＭ２２１にロードされて実行される。ネットワークインターフェース２２６は、ＬＡＮ等の通信回線とのインターフェースを制御している。このインターフェース２２６を介して前述の画像出力装置１１０が接続されている。
【００１７】
＜色分解部＞
図２（Ｂ）は、本実施の形態に係る画像処理装置の色分解部１０２の機能構成を説明するブロック図である。これら各部を構成する機能は、本実施の形態では、ＣＰＵ２２０とそのプログラムにより実現されているが、ハードウェアで構成されていても良い。また図２（Ｂ）に示すテーブルは、予め、或は後述するフローチャートに従ってＲＡＭ２２１に作成された後、ＨＤ２２５に不揮発に記憶されている。そして必要に応じてプログラムにより読み出されて参照される。
【００１８】
色分解部１０２は、データ入力部２０１、データ出力部２０２、ユーザインターフェース部（以下、ＵＩ部）２０３、色調テーブル２０４、デバイス特性テーブル２０５、階調テーブル２０６及び色分解処理部２０７とを含んでいる。データ入力部２０１は、モノクロ信号ＧＬを入力する。このモノクロ信号ＧＬは、色分解処理部２０７によって出力色信号ＣＭＹＫに変換され、データ出力部２０２から画像出力装置１１０に出力される。ＵＩ部２０３は、前述の入力部２２３及び表示部２２４を有し、入力部２２３から入力されるモノクロ写真の色調の調整指示値２１０を取得する。
【００１９】
本実施の形態に係るＵＩ部２０３によれば、色調の調整手段が簡易であり、かつ色調の調整範囲を限定することにより、モノクロ写真として不適切な色調に調整できないようにしている。この詳細は後述する。
【００２０】
色調テーブル２０４は、ＵＩ部２０３で取得する調整指示値２１０と、その調整指示値２１０に対応する出力画像の色調との関係を記憶している。
【００２１】
図３は、本実施の形態に係る色調テーブル２０４の一例を示す図である。
【００２２】
この色調テーブル２０４には、離散的な調整指示値と、各調整指示値に対応する色度（Ａ，Ｂ）が記憶されている。またこれら離散的な調整指示値の間に位置している任意の調整指示値に対応する色度は、公知の補間方法によって求められる。また色度（Ａ，Ｂ）は、例えば、出力画像の中間明度における色度であり、測色色信号Ｌ*ａ*ｂ*のａ，ｂにそれぞれ対応している。本実施の形態に係る画像処理装置では、この色度（Ａ，Ｂ）を、モノクロ写真として適切な色調の範囲に制限することを特徴としている。
【００２３】
デバイス特性テーブル２０５は、デバイス（ここでは画像出力装置１１０）に依存した離散的なデバイス色信号Ｒ’Ｇ’Ｂ’に対応して、色信号ＣＭＹＫと、その色信号ＣＭＹＫに対応する測色色信号ＬＡＢを保持する。
【００２４】
図４は、本実施の形態に係るデバイス特性テーブル２０５の一例を示す図である。
【００２５】
このデバイス特性テーブル２０５は、デバイスに依存した離散的なデバイス色信号Ｒ’Ｇ’Ｂ’と、このデバイス色信号に対応する色材の色信号ＣＭＹＫ及び測色色信号ＬＡＢを記憶している。これら離散的な信号値の間に位置している任意の測色色信号ＬＡＢに対応するデバイス色信号Ｒ’Ｇ’Ｂ’は、公知の３次元ルックアップテーブル（以下、３ＤＬＵＴ）を用いた補間、検索方法によって求められる。また、デバイス色信号Ｒ’Ｇ’Ｂ’に対応する色信号ＣＭＹＫも公知の３ＤＬＵＴ補間方法によって求められる。
【００２６】
このような補間及び検索方法によって、任意の測色色信号ＬＡＢに対応する色信号ＣＭＹＫを求めることができる。
【００２７】
色分解処理部２０７は、ＵＩ部２０３で取得する調整指示値２１０と、色調テーブル２０４と、デバイス特性テーブル２０５とに基づいて階調テーブル２０６を生成する。
【００２８】
図５は、この階調テーブル２０６の一例を示す図である。
【００２９】
この階調テーブル２０６は、離散的なモノクロ信号ＧＬと、このモノクロ信号ＧＬに対応する測色色信号ＬＡＢを記憶している。この階調テーブル２０６の生成手順については後述する。
【００３０】
色分解処理部２０７は、ＵＩ部２０３で取得する調整指示値２１０と、色調テーブル２０４と、デバイス特性テーブル２０５とに基づいて階調テーブル２０６を生成する。この色分解処理部２０７は、階調テーブル２０６とデバイス特性テーブル２０５とに基づいて、データ入力部２０１から入力されたモノクロ信号ＧＬを、画像出力装置１１０の色信号ＣＭＹＫに変換しデータ出力部２０２を介して出力する。モノクロ信号ＧＬを画像出力装置１１０の色信号ＣＭＹＫへ変換する手順は後述する。
【００３１】
＜階調テーブル２０６の生成手順＞
図６は、本実施の形態に係る色分解処理部２０７における階調テーブル２０６の生成手順を示すフローチャートである。この処理を実行するプログラムは、実行時にＨＤ２２５からＲＡＭ２２１にロードされ、ＣＰＵ２２０の制御の下に実行される。
【００３２】
まずステップＳ６０１で、ＵＩ部２０３が調整指示値２１０を取得する。次にステップＳ６０２で、ステップＳ６０１で取得した調整指示値と色調テーブル２０４（図３）とから、この調整指示値に対応する中間明度の色度（Ａ，Ｂ）を取得する。次にステップＳ６０３で、デバイス特性テーブル２０５（図４）から、グレイラインのＬ信号と黒及び白のＡＢ色信号を取得する。ここでグレイラインは、Ｒ’＝Ｇ’＝Ｂ’（＝ＧＬ）のＲ’Ｇ’Ｂ’色信号の集合である。よってステップＳ６０３では、これらＲ’Ｇ’Ｂ’色信号に対応するＬ信号を取得する。尚、このＬ信号は、標準階調特性を与える明度信号を別途取得し、これを利用しても良い。また黒のＡＢ色信号は、Ｒ’＝Ｇ’＝Ｂ’＝０における測色色信号ＬＡＢのＡ及びＢの値である。また白のＡＢ色信号は、Ｒ’Ｇ’Ｂ’色信号が共に８ビットの場合、Ｒ’＝Ｇ’＝Ｂ’＝２５５における測色色信号ＬＡＢのＡ及びＢの値である。
【００３３】
次にステップＳ６０４で、ステップＳ６０２で取得した中間明度の色度とステップＳ６０３で取得した黒及び白のＡＢ値から、離散的なモノクロ信号ＧＬに対するＡＢ値を求める。ここでは、モノクロ信号ＧＬに対するＡ及びＢの値（Ｘ）は以下の式で求められる。尚、ここでＸｋは、黒（ＧＬ＝０）におけるＡ及びＢの値であり、Ｘｗは、白（ＧＬ＝２５５）におけるＡ及びＢの値である。またＸｇは、ステップＳ６０２で取得した中間明度におけるＡ及びＢの値である。
（１）０≦ＧＬ＜Ｇ１の場合
Ｘ＝ＧＬ（Ｘｇ−Ｘｋ）／Ｇ１＋Ｘｋ        …式（１）
（２）Ｇ１≦ＧＬ＜Ｇ２の場合
Ｘ＝Ｘｇ                                  …式（２）
（３）Ｇ２≦ＧＬ≦２５５の場合
Ｘ＝（ＧＬ−Ｇ２）（Ｘｗ−Ｘｇ）／（２５５−Ｇ２）＋Ｘｇ    …式（３）
但し、Ｇ１及びＧ２は、０＜Ｇ１＜Ｇ２＜２５５を満たす定数である。
【００３４】
次にステップＳ６０５で、ステップＳ６０３で取得したＬ信号とステップＳ６０４で取得したＡＢ値とから、階調テーブル２０６（図５）を生成する。
【００３５】
＜色信号変換手順＞
図７は、本実施の形態に係る色分解部１０２における信号変換手順を示すフローチャートである。この色分解部１０２は、以下の手順によって、入力信号（モノクロ信号ＧＬ）を出力信号（画像出力装置１１０の色信号ＣＭＹＫ）へ変換する。尚、この処理を実行するプログラムは、実行時にＨＤ２２５からＲＡＭ２２１にロードされ、ＣＰＵ２２０の制御の下に実行される。
【００３６】
まずステップＳ７０１で、データ入力部２０１から入力画像データを構成するモノクロ信号ＧＬを取得する。次にステップＳ７０２で、階調テーブル２０６を参照して、そのモノクロ信号ＧＬに対応する測色信号ＬＡＢを取得する。次にステップＳ７０３で、デバイス特性テーブル２０５を参照して、測色信号ＬＡＢに対応する色信号ＣＭＹＫを取得する。そしてステップＳ７０４で、こうして得られた色信号ＣＭＹＫをデータ出力部２０２を介して画像出力装置１１０に出力する。
【００３７】
＜色調の調整範囲＞
前述したように本実施の形態に係る画像処理装置は、色調の調整範囲を限定することにより、モノクロ写真として不適切な色調に調整できないようにしている。この場合の色調の調整範囲は、モノクロ印画紙で再現できる色調の範囲としている。一般にモノクロ印画紙の色調は、黄色／青色方向に分布しており、赤色又は緑色に振れるとユーザに嫌われる。よって色調の調整範囲は、黄色／青色方向に広くし、赤色／緑色方向に狭くする。例えば、色調の調整範囲を、Ｌ*ａ*ｂ*色空間において、ａ*値を「-1.5」から「1.5」とし、ｂ*値を「-3」から「8」の範囲に限定する。また、モノクロ印画紙の色調には、黄色味の強い「温黒調」と呼ばれる色調と、ニュートラルグレイの「純黒調」と呼ばれる色調と、青味の強い「冷黒調」とよばれる色調がある。言い換えれば、モノクロ印画紙の色調は、これら３つの色調でほぼ網羅される。よって色調の調整範囲は、「温黒調」の色調と「純黒調」の色調と「冷黒調」の色調とを含む最小限の範囲に限定する。また銀塩写真では、これら３つの色調に加えて「セピア」の色調が利用されることもある。従って、色調の調整範囲は、これら「温黒調」「純黒調」「冷黒調」及び「セピア調」の色調を含む最小限の範囲に限定するのが好ましい。
【００３８】
＜調整ＵＩ＞
本実施の形態に係る画像処理装置は、色調の調整範囲を限定するユーザインターフェース（ＵＩ）をそなえることにより、モノクロ写真として不適切な色調に調整できないようにしている。
【００３９】
図８は、本実施の形態に係るＵＩ部２０３におけるＵＩ画面の一例を示す模式図である。
【００４０】
本実施の形態に係るＵＩ部２０３は、色調調整スライドバー８０１と、テキストボックス８０２と、調整指示値増加ボタン８０３と、調整指示値減少ボタン８０４と、キャンセルボタン８０５と、ＯＫボタン８０６とを備えている。色調調整スライドバー８０１は、入力部２２３を使用したマウスカーソル８００によるドラグ操作によりスライダ８１０を移動させて色調を設定する。スライダ８１０をスライドバー８０１の左端に移動すると「温黒調」の色調が設定され、スライダ８１０を右端に移動すると「冷黒調」の色調が設定される。またスライダ８１０を中央に移動すると「純黒調」の色調が設定される。ここでスライダ８１０をバー８０１上のどこに移動しても、モノクロ印画紙で再現される色調の範囲を超えることがないように設定されている。
【００４１】
図９は、本実施の形態に係る色調調整スライドバー８０１による色調の調整範囲を説明する模式図である。ここでは、スライダ８１０を移動させることによって変化する色度点の軌跡を示している。図９に示す本実施の形態に係るＵＩ部２０３によれば、９００で示すように、「温黒調」（スライダ８１０が左端）の色調から「純黒調」（中央）の色調を経由して「冷黒調」（右端）の色調に至る範囲に亘ってモノクロ写真の色調を調整することができる。
【００４２】
図８のテキストボックス８０２は、色調の調整指示値を表示する。この調整指示値は、例えば、スライダ８１０を左端に移動した時に「−１０」、スライダ８１０を中央に移動した時に「０」、スライダ８１０を右端に移動したときに「＋１０」となるように設定されている。またテキストボックス８０２は、スライダ８１０の位置に応じて変化する調整指示値を表示する。またテキストボックス８０２に調整指示値を直接入力しても良い。この場合、色調調整スライドバー８０１のスライダ８１０の位置は、このテキストボックス８０２に入力された調整指示値に対応した位置へ移動する。
【００４３】
調整指示値増加ボタン８０３と調整指示値減少ボタン８０４は、この調整指示値を増減を指示するためのボタンである。調整指示値増加ボタン８０３を指示（クリック）すると調整指示値が１ステップだけ増加し、更新された調整指示値がテキストボックス８０２に表示される。またこの際、色調調整スライドバー８０１のスライダ８１０の位置もこの調整指示値に対応した位置に移動する。また調整指示値減少ボタン８０４を指示（クリック）すると調整指示値が１ステップだけ減少し、更新された調整指示値がテキストボックス８０２に表示される。また色調調整スライドバー８０１のスライダ８１０も、この調整指示値に対応した位置に移動する。
【００４４】
キャンセルボタン８０５は、色調の調整結果をキャンセルする。このキャンセルボタン８０５が指示されると、調整指示値が調整前の値にリセットされて色調調整を終了する。ＯＫボタン８０６は、色調の調整結果を確定する。ＯＫボタン８０６が指示されると調整指示値が確定されて色調の調整を終了する。
【００４５】
＜ＵＩ部の第１変形例＞
図１０は、本実施の形態に係るＵＩ部２０３におけるＵＩ画面の変形例の一例を示す模式図である。図１０において、図８に示したＵＩ部２０３と同じ構成には、同じ符号を付してその説明を省略する。
【００４６】
この変形例に係るＵＩ部は、色調選択リストボックス１００１と、色調調整スライドバー１００２と、テキストボックス８０２と、調整指示値増加ボタン８０３と、調整指示値減少ボタン８０４と、キャンセルボタン８０５と、ＯＫボタン８０６とを有している。色調選択リストボックス１００１は、目標とする色調をリストから選択する。このリストは、例えば、「ウォーム」、「クール」、「セピア」の選択肢を有する。色調調整スライドバー１００２のスライダ１０１０の位置と、色調選択リストボックス１００１で選択された色調とによって色調を設定する。ここでスライダ１０１０を色調調整スライドバー１００２の左端に移動すると「温黒調」の色調が設定され、スライダ１０１０を右端に移動すると色調選択リストボックス１００１で選択された色調が設定される。
【００４７】
いま色調選択リストボックス１００１で「ウォーム」が選択された場合、色調調整スライドバー１００２のスライダ１０１０の位置を移動させることによって、「純黒調」の色調から「温黒調」の色調の範囲で色調が変化する。同様に、色調選択リストボックス１００１で「クール」が選択された場合、色調調整スライドバー１００２のスライダ１０１０の位置を移動させることによって、「純黒調」の色調から「冷黒調」の色調の範囲で色調が変化する。同様に、色調選択リストボックス１００１で「セピア」が選択された場合、色調調整スライドバー１００２のスライダ１０１０の位置を移動させると、「純黒調」の色調から「セピア」の色調の範囲で色調が変化する。この場合でも、色調調整スライドバー１００２上でスライダ１０１０をどこに移動しても、印画紙で再現される色調の範囲を超えることはない。
【００４８】
図１１は、色調選択リストボックス１００１と、色調調整スライドバー１００２とによる色調の調整範囲を説明する模式図であり、色調調整スライドバー１００２のスライダ１０１０を移動させることによって変化する色度点の軌跡を示している。
【００４９】
本実施の形態に係るＵＩ部２０３は、「純黒調」の色調と「温黒調」の色調とを結ぶ線１１００上の色調と、「純黒調」の色調と「冷黒調」の色調とを結ぶ線１１０１上の色調と、「純黒調」の色調とセピアの色調とを結ぶ線１１０２上の色調で、モノクロ写真の色調を調整できる。即ち、色調選択リストボックス１００１で「ウォーム」が選択された場合は、スライダ１０１０の位置に応じて線１１００に沿って色調が変化する。また色調選択リストボックス１００１で「セピア」が選択された場合は、スライダ１０１０の位置に応じて線１１０２に沿って色調が変化する。同様に「クール」が選択された場合は、スライダ１０１０の位置に応じて線１１０１に沿って色調が変化する。
【００５０】
＜ＵＩ部の第２変形例＞
本実施の形態に係るＵＩ部２０３の第２変形例は、モノクロ信号をその大きさによって複数のグループに分類し、各グループごとに色調の調整を実施することを特徴とする。例えば、「シャドウ」、「中間」、「ハイライト」の色調を独立して調整する。このように独立して色調を調整することにより、より細かい色調の調整が可能となる。各グループの色調の調整は、図８を用いて説明したＵＩを利用しても良いし、図１０を用いて説明したＵＩを利用しても良い。
【００５１】
図１２は、本実施の形態に係る第２変形例のＵＩ部２０３におけるＵＩ画面の一例を示す模式図である。図８と同じ構成には、同じ符号を付して説明を省略する。
【００５２】
ここで色調調整スライドバー１２０１，１２０５，１２０９は、図８の色調調整スライドバー８０１と同じ構成である。またテキストボックス１２０２，１２０６，１２１０はそれぞれ図８のテキストボックス８０２と同じ構成である。更に、調整指示値増加ボタン１２０３，１２０７，１２１１もそれぞれ図８の調整指示値増加ボタン８０３と同じ構成である。また調整指示値減少ボタン１２０４，１２０８，１２１２もまた、図８の調整指示減少ボタン８０４と同じ構成である。
【００５３】
＜ＵＩ部の第３変形例＞
ＵＩ部の第３変形例は、画像の内容（シーン）によって、デフォルトの色調や色調の調整範囲を変更することを特徴とする。一般に、ポートレイト画像はウォーム系の色調が好まれ、金属画像はクール系の色調が好まれる。また、ポートレイト画像では、青味の強いクール系の色調が嫌われる。よって、画像の内容に応じてデフォルトの色調を変更することにより、モノクロ写真の色調を簡易に適切な色調で印刷することができる。また画像の内容に応じて色調の調整範囲を変更することにより、ユーザが好まない色調での印刷を禁止することができる。
【００５４】
図１３は、本実施の形態に係る第３変形例のＵＩ部によるＵＩ画面の一例を説明する図である。ここでは図８と同じ構成には、同じ符号を付して説明を省略する。
【００５５】
このＵＩは、シーン選択リストボックス１３０１と、色調調整スライドバー１３０２と、テキストボックス８０２と、調整指示値増加ボタン８０３と、調整指示値減少ボタン８０４と、キャンセルボタン８０５と、ＯＫボタン８０６とを有している。
【００５６】
シーン選択リストボックス１３０１は、画像の内容をリストから選択する。このリストは、例えば、「ポートレイト」、「風景」、「金属」の選択肢を有する。ここではシーン選択リストボックス１３０１で選択されたシーン種別に応じて、デフォルトの色調と色調の調整範囲が設定される。
【００５７】
いまシーン選択リストボックス１３０１で「ポートレイト」が選択された場合、「純黒調」の色調よりもややウォーム側（温黒調側）の色調をデフォルトとする。また、色調の調整範囲は、クール側（冷黒調側）の調整範囲を狭くする。
【００５８】
またシーン選択リストボックス１３０１で「風景」が選択された場合、「純黒調」の色調をデフォルトとする。更に、シーン選択リストボックス１３０１で「金属」が選択された場合、「純黒調」の色調よりもややクール側（冷黒調側）の色調をデフォルトとする。また、色調の調整範囲は、ウォーム側（温黒調側）の調整範囲を狭くする。
【００５９】
色調調整スライドバー１３０２は、スライダ１３１０の位置によって色調を設定する。スライダ１３１０を色調調整スライドバー１３０２の左端に移動すると「温黒調」の色調が設定され、スライダ１３１０を右端に移動すると「冷黒調」の色調が設定される。またスライダ１３１０を中央に移動すると「純黒調」の色調が設定される。スライダ１３１０の初期の位置は、シーン選択リストボックス１３０１で選択されたシーンに応じて、デフォルトの色調に対応する位置に移動する。例えば、シーン選択リストボックス１３０１で「ポートレイト」が選択された場合、色調調整スライドバー１３０２のスライダ１３１０の位置は、デフォルトの色調を反映して「純黒調」よりもややウォーム側（温黒調より）に移動する。同様に、シーン選択リストボックス１３０２で「金属」が選択された場合には、スライダ１３１０の位置は、デフォルトの色調を反映して「純黒調」よりもややクール側（冷黒調より）に移動する。
【００６０】
更に、色調の調整範囲に関するスライダ１３１０の移動可能範囲もシーン選択リストボックス１３０１で選択されたシーンに応じて変化する。例えば、シーン選択リストボックス１３０１で「ポートレイト」が選択された場合、スライドバー１３０２のクール側（冷黒調側）は、１３０３で示すようにグレイアウトで表示される。そして、このグレイアウトされた部分１３０３には、スライダ１３１０が移動できないように設定される。
【００６１】
＜ＵＩ部の第４変形例＞
ＵＩ部の第４変形例は、黄色／青色方向に色調を調整する第１の色調調整手段に加えて、赤色／緑色方向に色調を微調整する第２の色調調整手段を有することを特徴とする。
【００６２】
図１４は、色調を調整するＵＩ部の第４変形例を示す模式図である。
【００６３】
このＵＩ部は、図８の調整ＵＩの構成に加えて、第２の色調調整スライドバー１４０１と、第２の色調調整用テキストボックス１４０２と、第２の色調調整用調整指示値増加ボタン１４０３と、第２の色調調整用調整指示値減少ボタン１４０４とを有する。第２の色調調整用テキストボックス１４０２は、図８のテキストボックス８０２と同じ構成であり、第２の色調調整用調整指示値増加ボタン１４０３は図８の調整指示値増加ボタン８０３と同じ構成である。更に、第２の色調調整用調整指示値減少ボタン１４０４は、図８の調整指示値減少ボタン８０４と同じ構成である。よってこれらの説明を省略する。
【００６４】
図１４において、色調調整スライドバー８０１は、スライダ８１０の位置によって、主に黄色／青色方向に色調を設定する。スライダ８１０を左端に移動すると温黒調の色調（黄色味の強い色調）が設定され、スライダ８１０を右端に移動すると冷黒調の色調（青味の強い色調）が設定され、スライダ８１０を中央に移動すると純黒調の色調が設定される。
【００６５】
また第２の色調調整スライドバー１４０１は、スライダ１４１０の位置によって、主に赤色／緑色方向に色調を微調整する。スライダ１４１０を左に移動すると赤味が強くなり、スライダ１４１０を右に移動すると赤味が弱くなる。
【００６６】
図１５は、この第４変形例における色調調整スライドバー８０１と第２の色調調整スライドバー１４０１とによる色調の調整範囲を示す模式図である。
【００６７】
第２の色調調整スライドバー１４０１は、所定の色度点Ｏと、色調調整スライドバー８０１のスライダ８１０の位置によって定まる色度点Ａとを結ぶ直線１５００上の点Ｐ０から点Ｐ１の範囲で色調の微調整を行う。
【００６８】
本発明の目的は、接続される画像出力装置１１０に出力する色信号がＣＭＹＫでなくても良い。画像出力装置１１０がグレイインクや淡インクを含むプリンタの場合には、これらの色信号を含む色信号が出力される。また、画像出力装置１１０がモニタのようにＲＧＢ信号を入力する場合には、ＲＧＢ色信号を出力する構成にしても良い。
【００６９】
また本発明の目的は、色信号の変換手順によるものではない。上記実施の形態では、入力したモノクロ信号を一度測色信号に変換してから画像出力装置１１０の色信号（出力信号）に変換している。しかし、本実施の形態に係る階調テーブルとデバイス特性テーブルを統合して、入力モノクロ信号を直接出力信号に変換しても良い。
【００７０】
（他の実施形態）
以上、本発明の実施形態について詳述したが、本発明は、複数の機器から構成される文書検索システムに適用しても良いし、また、一つの機器からなる文書検索装置に適用しても良い。
【００７１】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００７２】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００７３】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００７４】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００７５】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００７６】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部又は全部を行ない、その処理によっても前述した実施形態の機能が実現され得る。
【００７７】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部又は全部を行ない、その処理によって前述した実施形態の機能が実現される。
【図面の簡単な説明】
【００７８】
【図１】本発明の実施の形態に係る画像処理装置における信号の流れを説明する図である。
【図２】本実施の形態に係る画像処理装置のハードウェア構成の概略を説明するブロック図（Ａ）、及び本実施の形態に係る画像処理装置の色分解部の機能構成を説明するブロック図（Ｂ）である。
【図３】本実施の形態に係る色調テーブルの一例を示す図である。
【図４】本実施の形態に係るデバイス特性テーブルの一例を示す図である。
【図５】階調テーブルの一例を示す図である。
【図６】本実施の形態に係る色分解処理部における階調テーブルの生成手順を示すフローチャートである。
【図７】本実施の形態に係る色分解部における信号変換手順を示すフローチャートである。
【図８】本実施の形態に係るＵＩ部におけるＵＩ画面の一例を示す模式図である。
【図９】本実施の形態に係る色調調整スライドバーによる色調の調整範囲を説明する模式図である。
【図１０】本実施の形態に係るＵＩ部におけるＵＩ画面の変形例の一例を示す模式図である。
【図１１】色調選択リストボックスと、色調調整スライドバーとによる色調の調整範囲を説明する模式図である。
【図１２】本実施の形態に係る第２変形例のＵＩ部におけるＵＩ画面の一例を示す模式図である。
【図１３】本実施の形態に係る第３変形例のＵＩ部によるＵＩ画面の一例を説明する図である。
【図１４】色調を調整するＵＩ部の第４変形例を示す模式図である。
【図１５】第４変形例における色調調整スライドバーと第２の色調調整スライドバーとによる色調の調整範囲を示す模式図である。
【図１】
2007166543.tif 000003
【図２】
2007166543.tif 000004
【図３】
2007166543.tif 000005
【図４】
2007166543.tif 000006
【図５】
2007166543.tif 000007
【図６】
2007166543.tif 000008
【図７】
2007166543.tif 000009
【図８】
2007166543.tif 000010
【図９】
2007166543.tif 000011
【図１０】
2007166543.tif 000012
【図１１】
2007166543.tif 000013
【図１２】
2007166543.tif 000014
【図１３】
2007166543.tif 000015
【図１４】
2007166543.tif 000016
【図１５】
2007166543.tif 000017